(57)【特許請求の範囲】
【請求項１】
衣類投入用の開口部を有する外枠と、この外枠に開閉自在に設け前記開口部を閉塞する第１の蓋と、前記第１の蓋の開閉状態を検知する第１の蓋開閉状態検知手段と、前記外枠内に回転自在に設けた回転ドラムと、前記回転ドラムの一端を回転自在に支持するシャフトと、前記回転ドラムの他端を支持する外周略円環状部を有するドラム支持板と、前記回転ドラム内に空気を流通させる送風手段と、前記回転ドラム内に向かって抗菌、防臭、防虫、防黴の少なくともいずれか１種の性状を有する薬剤を揮発拡散する揮発拡散手段とを備え、前記揮発拡散手段は、前記ドラム支持板に設けた開口部と、この開口部に連通した薬剤の気化室と、前記薬剤を担持する担持体とからなり、前記担持体は、その一端が前記外枠外から前記気化室内に挿入され、前記気化室内で前記薬剤が揮発拡散するようにし、他端側が前記外枠より突出し挿脱時の把手を兼ねるようにするとともに、その突出部に前記回転ドラム内の空気が前記気化室を通って前記外枠外に流出するのを防止する栓部を設けた衣類乾燥機。
【請求項２】
気化室は、薬剤を加熱する加熱手段を配設した請求項１記載の衣類乾燥機。
【請求項３】
担持体の装填を検知する検知手段を備え、気化室に前記担持体が装填されていないときは、加熱手段が作動しない構成とした請求項２記載の衣類乾燥機。
【請求項４】
担持体は、薬剤が揮発分散後に担持体の一部または全体を未使用の段階より変色、発色、変形、変臭のいずれかの少なくとも１つを発現させる構成とした請求項１〜３のいずれか１項に記載の衣類乾燥機。
【請求項５】
外枠には、担持体の挿入箇所に第２の蓋を設けた請求項１〜４のいずれか１項に記載の衣類乾燥機。
【請求項６】
第２の蓋の開閉状態を検知する第２の蓋開閉検知手段を備え、前記第２の蓋が開いているときには処理運転を行えないようにした請求項５記載の衣類乾燥機。
【請求項７】
第２の蓋が開いているときは、外枠の開口部を閉塞する第１の蓋が閉まらないようにした請求項５記載の衣類乾燥機。
【発明の詳細な説明】
【０００１】
【産業上の利用分野】
本発明は、衣類などに衣類薬剤を吸着する衣類乾燥機に関するものである。
【０００２】
【従来の技術】
従来、衣類乾燥機は図１２に示すように構成していた。以下、その構成について説明する。
【０００３】
図に示すように、回転ドラム１は、メタル２を介してシャフト３によってその一端を支持され、このシャフト３は固定板４によって外枠５に固定されている。回転ドラム１の他端はドラム支持板６によって支持され、このドラム支持板６は、回転ドラム１内に空気を流通させる熱交換型ファン（送風手段）７を収納するファンケース８と回転ドラム１とをつなぐガイド部９を併設している。電動機１０は、回転ドラム１および熱交換型ファン６を駆動回転させる。
【０００４】
電動機１０の回転はベルト１１により熱交換型ファン７に伝え、ベルト１２により回転ドラム１に伝える。風胴１３は、熱交換型ファン７によって送風された空気を回転ドラム１に戻すものであり、熱源１４は送風された空気を加熱する。第１の蓋１５は、回転ドラム１内を略密閉状態とするように構成している。第１の蓋開閉検知手段１６は、第１の蓋１５の開閉状態を検知するもので、通常この第１の蓋開閉検知手段１６によって、第１の蓋１５の開状態を検知した場合には、電動機１０および熱源１４の運転を中止する安全対策が施されている。
【０００５】
以上の構成によって、回転ドラム１内の衣類の撹拌を行いながら温風を衣類内を通すことによって、洗濯などによって湿った衣類を乾燥することができる。近年、このような構成の衣類乾燥機において、殺菌および殺ダニ機能を有するものがある。これは、乾燥行程における恒率乾燥時に所定の温度以上に維持することによる湿熱乾燥によって殺菌および殺ダニ効果を発揮している。
【０００６】
また、抗菌、抗黴、抗ダニ作用を有する薬剤を吸着処理した衣類について説明する。市販の抗菌処理衣料は、その購入前に抗菌剤によって処理されているものであり、洗濯をくり返すとその機械力によって抗菌剤が洗い落とされ、抗菌効果が徐々に低下するものが多く、洗濯方法として手洗い表示となっている。中でも天然系の植物精油を利用した抗菌剤を使用した抗菌処理衣料では、天然系の植物精油が気化することで、その抗菌作用を発揮するもので、当然初期性能を長期的に維持することは困難である。
【０００７】
このため、抗菌剤をマイクロカプセル化し、着用時に摩擦などによる物理作用によってマイクロカプセルが徐々に壊れ気化する構成となっている。
【０００８】
【発明が解決しようとする課題】
このような従来の衣類乾燥機で、特に殺菌および殺ダニ効果のある衣類乾燥機では、衣類は衛生的に乾燥できるが、乾燥を終了した後、タンスなどにしまったり、または着用によってダニや菌の汚染を受ける。つまり、折角衛生的に乾燥ができても、その状態を継続的に維持できない一過性の効果である。
【０００９】
また、市販の抗菌衣料については、一般的に洗濯などをくり返すと、徐々に抗菌作用が低下して行くという耐久性の問題を有している。抗菌作用を長期にわたって発揮するためには、初期に薬剤を大量に吸着しなければならないため、初期性能が強すぎることがある。また、天然系植物精油を利用したものについては一定期間効果を持続させるために、天然系植物精油をマイクロカプセル化する高度の技術手段が取られ、抗菌衣料が高価な衣類となっている。
【００１０】
その一方で、このような抗菌性を有する衣類の購入者は、当然、同じ抗菌処理をした衣類を数日間着つづけるのではなく、ほぼ毎日交換するわけで、着替えるために複数枚必要である。また、季節によっても着る衣類が違うため、多くの枚数が必要となる。
【００１１】
さらに、小児のアトピー性皮膚炎などを対象とした天然系の抗菌剤で抗菌処理した衣類では、小児の成長にあわせて処理衣類を新しく購入する必要がある。
【００１２】
抗菌剤をスプレーなどによって直接衣類に振りかけて抗菌作用を発揮する方法もあるが、衣類に均一に抗菌剤を吸着することはできず、また、抗菌剤を吸い込んだり、他のものに抗菌剤をつけてしまったりする場合がある。
【００１３】
なお、近年アトピー性皮膚炎が小児を中心に患者数が増加の傾向にあり、その根本原因は、多くの学説があり、いまだに特定には至っていない。その上、決定的な治療手段も確立されていない。しかし、ダニがアトピー性皮膚炎にとって外的増悪因子であることは、学術的に見てもほぼ間違いなく、また、皮膚表面の菌、特に、カンジタ菌や、黄色ぶどう状球菌などは、痒みを生じさせて、睡眠を妨害したり症状を悪化させたりすることがわかっている。
【００１４】
本発明は上記従来の課題を解決するもので、薬剤を担持する担持体を外枠の外部から挿入し、気化室内で揮発分散させることで、一般の衣類を家庭で簡単に衣類の処理を行えるようにするとともに、担持体の一端が気化室内に挿入されたとき、他端が外枠より突出し担持体挿脱時の把手を兼ねる構成とし、担持体を簡単に着脱できるようにし、さらに回転ドラム内の空気の流出を押さえて、薬剤が有効に衣類に吸着しなかったり、気化室内で気化した薬剤が結露などによって流れ出したりするのを防止することを第１の目的としている。
【００１５】
また、上記第１の目的を達成するとともに、雰囲気温度に関係なく薬剤の気化速度をほぼ同じにし、沸点の高い薬剤でも容易に揮発できるようにすることを第２の目的としている。
【００１６】
また、上記第２の目的を達成するとともに、誤って担持体を挿入せずに処理運転を行って、特に衣類が処理後で有ることが安易にわかる手段がない場合において、未処理のものを処理したものと間違えることがないようにすることを第３の目的としている。
【００１７】
また、上記第１〜３の目的を達成するとともに、担持体の使用後を容易に識別できるようにし、薬剤が含まれていない担持体を装填し、処理運転を行ってしまうことがないようにすることを第４の目的としている。
【００１８】
また、上記第１〜４の目的を達成するとともに、担持体を挿入していないときに回転ドラム内の空気が担持体の挿入経路を通じて外に漏れ出ることを防止し、通常の乾燥運転において、衣類の乾燥むらや未乾燥などを起こすことを防止することを第５の目的としている。
【００１９】
また、上記第５の目的を達成するとともに、担持体を閉塞する第２の蓋を開けたままで運転できないようにし、回転ドラム内の空気が担持体の挿入経路を通じて外に漏れ出ることを防止し、通常の乾燥運転において、衣類の乾燥むらや未乾燥などを起こすことを防止することを第６の目的としている。
【００２０】
また、上記第５の目的を達成するとともに、外枠の開口部を閉塞する第１の蓋が閉まっていないときは、通常運転ができない構成を利用して、第２の蓋の開閉状態の検知手段も報知の必要もないようにすることを第７の目的としている。
【００２１】
【課題を解決するための手段】
本発明は上記第１の目的を達成するために、衣類投入用の開口部を有する外枠と、この外枠に開閉自在に設け前記開口部を閉塞する第１の蓋と、前記第１の蓋の開閉状態を検知する第１の蓋開閉状態検知手段と、前記外枠内に回転自在に設けた回転ドラムと、前記回転ドラムの一端を回転自在に支持するシャフトと、前記回転ドラムの他端を支持する外周略円環状部を有するドラム支持板と、前記回転ドラム内に空気を流通させる送風手段と、前記回転ドラム内に向かって抗菌、防臭、防虫、防黴の少なくともいずれか１種の性状を有する薬剤を揮発拡散する揮発拡散手段とを備え、前記揮発拡散手段は、前記ドラム支持板に設けた開口部と、この開口部に連通した薬剤の気化室と、前記薬剤を担持する担持体とからなり、前記担持体は、その一端が前記気化室内に挿入され、前記気化室内で前記薬剤が揮発拡散するようにし、他端側が前記外枠より突出し挿脱時の把手を兼ねるようにするとともに、その突出部に回転ドラム内の空気が気化室を通って外枠外に流出するのを防止する栓部を設けたことを第１の課題解決手段としている。
【００２２】
また、第２の目的を達成するために、上記第１の課題解決手段において、気化室は、薬剤を加熱する加熱手段を配設したことを第２の課題解決手段としている。
【００２３】
また、第３の目的を達成するために、上記第２の課題解決手段に加えて、担持体の装填を検知する検知手段を備え、気化室に前記担持体が装填されていないときは、加熱手段が作動しない構成としたことを第３の課題解決手段としている。
【００２４】
また、第４の目的を達成するために、上記第１〜３の課題解決手段において、担持体は、薬剤が揮発分散後に担持体の一部または全体を未使用の段階より変色、発色、変形、変臭のいずれかの少なくとも１つを発現させる構成としたことを第４の課題解決手段としている。
【００２５】
また、第５の目的を達成するために、上記第１〜４の課題解決手段において、外枠には、担持体の挿入箇所に第２の蓋を設けたことを第５の課題解決手段としている。
【００２６】
また、第６の目的を達成するために、上記第５の課題解決手段に加えて、第２の蓋の開閉状態を検知する第２の蓋開閉検知手段を備え、前記第２の蓋が開いているときには処理運転を行えないようにしたことを第６の課題解決手段としている。
【００２７】
また、第７の目的を達成するために、上記第５の課題解決手段において、第２の蓋が開いているときは、外枠の開口部を閉塞する第１の蓋が閉まらないようにしたことを第７の課題解決手段としている。
【００２８】
【作用】
本発明は上記した第１の課題解決手段により、抗菌、防臭、防虫、防黴の少なくともいずれか１種の性状を有する薬剤を担持する担持体を外枠の外部から挿入し、ドラム支持板に設けた開口部より回転ドラム内の揮発拡散するとともに、担持体は、他端側を外枠より突出し、挿脱時の把手を兼ねるようにし、その突出部に栓部を設けたことで、一般の衣類を家庭で簡単に、抗菌、防臭、防虫、防黴の少なくともいずれか１種の性状を有する薬剤によって衣類の処理を行うことができるとともに、担持体を簡単に着脱できて、処理運転後、担持体を取り出すためにピンセットなどの器具または治具を用いる必要がなく、取扱いを簡便にでき、担持体の挿入部を通って回転ドラム内の空気が流出し、薬剤が有効に衣類に吸着しなかったり、気化室内で気化した薬剤が結露などによって挿入部より流れ出したりすることを防止することができる。
【００２９】
また、第２の課題解決手段により、薬剤を加熱手段により加熱することによって雰囲気温度によって薬剤の気化速度が変化し、処理の速度、処理の濃度のばらつくのを押さえることができ、また、沸点の高い薬剤を用いたときでも揮発拡散することができる。
【００３０】
また、第３の課題解決手段により、気化室内に担持体が装填されたかどうかを検知することができ、特に衣類が臭いなどによって処理後であることが安易にわかる手段がない場合においても、誤って担持体を挿入せずに処理運転を行ってしまうのを防止することができる。
【００３１】
また、第４の課題解決手段により、衣類の処理に使用した後、担持体の一部または全体を未使用の段階より変色、または、発色、変形、変臭のいずれか１種の少なくとも一つを発現させる構成とすることで、薬剤が含まれていない担持体を挿入して処理運転を行ってしまうのを防止することができる。
【００３２】
また、第５の課題解決手段により、担持体を挿入していないときに回転ドラム内の空気が挿入経路を通じて外に漏れ出るのを防止することができ、通常の乾燥運転において、乾燥むらや、未乾燥を防止することができる。
【００３３】
また、第６の課題解決手段により、第２の蓋を開けたままで運転し、回転ドラム内の空気が挿入経路を通して外に漏れ出るのを防止することができ、通常の乾燥運転において、乾燥むらや、未乾燥を防止することができる。
【００３４】
また、第７の課題解決手段により、通常第１の蓋が閉まっていないときは、通常運転ができない構成を利用して、衣類の処理運転も行えないようにすることができ、開閉状態の検知手段も報知の必要もなく、第２の蓋を開けたままで運転し、回転ドラム内の空気が挿入経路を通して外に漏れ出ることを防止することができ、通常の乾燥運転において、乾燥むらや、未乾燥を防止することができる。
【００３５】
【実施例】
以下、本発明の第１の実施例を図１および図２を参照しながら説明する。なお、従来例と同じ構成のものは同一符号を付して説明を省略する。
【００３６】
図に示すように、薬剤１７は、抗菌、防臭、防虫、防黴の少なくともいずれか１種の性状を有するもので、薬剤タンク（薬剤装填手段）１８内に収納し、この薬剤タンク１８を蓋１５の上部の外枠５側より薬剤供給装置１９に収納している。ドラム支持板２０内には、薬剤１７を回転ドラム１内に揮発拡散するための気化室２１を配設し、この気化室２１に薬剤タンク１８内の薬剤１７を薬剤供給管２２を通して供給するようにしている。ドラム支持板２０上には、気化室２１と連通して気化室２１内で気化した薬剤１７を回転ドラム１内に送り出すための開口部２０ａを併設している。
【００３７】
上記構成において、薬剤タンク１８内の薬剤１７は、薬剤供給管２２によって気化室２１に供給され、気化室２１内で気化し、ドラム支持板２０の開口部２０ａを通って回転ドラム１内に揮発拡散される。揮発拡散された薬剤１７は、回転ドラム１の転動回転によって撹拌されている衣類に吸着され、衣類の処理が行われる。
【００３８】
このように本実施例によれば、抗菌、防臭、防虫、防黴の少なくともいずれか１種の性状を有する薬剤を外枠５の外部から装填し、ドラム支持板２０に設けた開口部２０ａより回転ドラム１内の揮発拡散することができ、一般の衣類を家庭で簡単に、抗菌、防臭、防虫、防黴の少なくともいずれか１種の性状を有する薬剤１７によって衣類の処理を行うことができる。
【００３９】
なお、上記実施例では、薬剤供給装置１９を蓋１５の上部に配置しているが、外枠５より薬剤１７を装填でき、回転ドラム１内に薬剤１７を揮発分散できる位置であれば、ドラム支持板２０上のどの位置であっても効果は同じである。
【００４０】
つぎに、本発明の第２の実施例を図３を参照しながら説明する。なお、上記第１の実施例と同じ構成のものは同一符号を付して説明を省略する。
【００４１】
図に示すように、気化室２１内に薬剤１７を加熱するヒータ（加熱手段）２３を設けている。他の構成は上記第１の実施例と同じである。
【００４２】
上記構成において、薬剤タンク１８内の薬剤１７は、薬剤供給管２２を通して気化室２１に供給され、気化室２１内のヒータ２３上に滴下され、ヒータ２３の熱によって気化し、開口部２０ａを通って回転ドラム１内に揮発拡散される。揮発分散された薬剤１７は、回転ドラム１の転動回転によって撹拌されている衣類に吸着され、衣類の処理が行われる。
【００４３】
このように本実施例によれば、薬剤１７をヒータ２３により加熱することによって雰囲気温度によって薬剤１７の気化速度が変化し、処理の速度、処理の濃度のばらつくのを押さえることができ、また、沸点の高い薬剤を用いたときでも揮発拡散することができる。
【００４４】
つぎに、本発明の第３の実施例を図４を参照しながら説明する。なお、上記第１の実施例と同じ構成のものは同一符号を付して説明を省略する。
【００４５】
図に示すように、担持体２４は、マット状に形成し、抗菌、防臭、防虫、防黴の少なくともいずれか１種の性状を有する薬剤を染み込ませている。この担持体２４を外枠５から挿入するように構成している。また、気化室２１内には、担持体２４を加熱するヒータ２３を設けている。他の構成は上記第１の実施例と同じである。
【００４６】
上記構成において、気化室２１内に装填された担持体２４はヒータ２３によって加熱され、担持体２４に染み込ませた薬剤を気化室２１内にて気化し、ドラム支持板２０の開口部２０ａを通って回転ドラム１内に揮発拡散される。揮発分散された薬剤は、回転ドラム１の転動回転によって撹拌されている衣類に吸着されることで衣類の処理が行われる。
【００４７】
このように本実施例によれば、担持体２４によって、薬剤が液体の場合でも、気化室２１に装填する際にこぼれたり、配管などを用いて気化室に送り込む場合のように配管が詰まったりという、不具合を防止することができ、取扱いが容易で、使い勝手を向上することができる。
【００４８】
つぎに、本発明の第４の実施例を図５を参照しながら説明する。なお、上記第３の実施例と同じ構成のものは同一符号を付して説明を省略する。
【００４９】
図に示すように、検知手段２５は、担持体２４が気化室２１に装填されていることを検知するもので、気化室２１内またはその近傍部に配設している。この検知手段２５の検知結果からヒータ２３の通電を制御するように構成している。他の構成は上記第３の実施例と同じである。なお、検知手段２５としては、担持体２４の一部と接触することで機械的に接点がオン、オフし、ヒータ２３への通電を制御するもの、または光センサ、磁気センサなどの非接触形のセンサによって担持体２４を検知するものである。
【００５０】
上記構成において、担持体２４が気化室２１内に装填されたことを検知してヒータ２３に通電し、それによって担持体２４を加熱し、担持体２４に染み込ませた薬剤を気化室２１内にて気化し、ドラム支持板２０の開口部２０ａを通って回転ドラム１内に揮発拡散される。揮発分散された薬剤は、回転ドラム１の転動回転によって撹拌されている衣類に吸着されることで衣類の処理が行われる。
【００５１】
このように本実施例によれば、検知手段２５により気化室２１内に担持体２４が装填されたかどうかを検知することができ、特に衣類が臭いなどによって処理後であることが安易にわかる手段がない場合においても、誤って担持体２４を挿入せずに処理運転を行ってしまうのを防止することができる。
【００５２】
つぎに、本発明の第５の実施例を図６を参照しながら説明する。なお、上記第３の実施例と同じ構成のものは同一符号を付して説明を省略する。
【００５３】
図に示すように、スタンプ捺印装置２６は、担持体２４が使用済みであることが分かるスタンプを押すものである。他の構成は上記第３の実施例と同じである。
【００５４】
上記構成において、担持体２４がヒータ２３によって加熱され、担持体２４に染みこんだ薬剤が揮発拡散すると、担持体２４が使用済みであることがわかるように、スタンプ捺印装置２５によって、使用済みであることが分かるスタンプを押す。
【００５５】
このように本実施例によれば、衣類の処理に使用した後、担持体２４に使用済みのスタンプを押すことにより、薬剤が含まれていない担持体２４を挿入して処理運転を行ってしまうのを防止することができる。
【００５６】
なお、本実施例では、担持体２４にスタンプを押すようにしているが、担持体の一部または全体を未使用の段階より変色、または、発色、変形、変臭のいずれか少なくとも一つを発現させる構成にしてもよく、その効果は同じである。
【００５７】
つぎに、本発明の第６の実施例を図７を参照しながら説明する。なお、上記第３の実施例と同じ構成のものは同一符号を付して説明を省略する。
【００５８】
図に示すように、担持体２７は、その一端を気化室２１内に挿入したとき、他端側を外枠５より突出し、この突出部２７ａを挿脱時の把手を兼ねるようにしている。他の構成は上記第３の実施例と同じである。
【００５９】
上記構成において、担持体２７を気化室２１内に挿脱するとき、突出部２７ａをもって、担持体２７を容易に挿入または離脱することができる。
【００６０】
このように本実施例によれば、担持体２７は、他端側を外枠５より突出し、挿脱時の把手を兼ねるようにすることによって、担持体２７を簡単に着脱できて、処理運転後、担持体２７を取り出すためにピンセットなどの器具または治具を用いる必要がなく、取扱いを簡便にできる。
【００６１】
つぎに、本発明の第７の実施例を図８を参照しながら説明する。なお、上記第６の実施例と同じ構成のものは同一符号を付して説明を省略する。
【００６２】
図に示すように、担持体２７は、その一端を気化室２１内に挿入し、他端側を外枠より突出し、この突出部２７ａに回転ドラム１内の空気が気化室２１を通って外枠５外に流出するのを防止する栓部２７ｂを設けている。他の構成は上記第６の実施例と同じである。
【００６３】
上記構成において、担持体の一端が気化室内に挿入された状態で、栓部２７ｂによって気化室２１内の空気が外部に漏れ出さないようにでき、回転ドラム１内の空気が気化室２１を通って外枠５外に流出するのを防止することができる。
【００６４】
このように本実施例によれば、担持体２７の挿入部を通って回転ドラム１内の空気が流出し、薬剤が有効に衣類に吸着しなかったり、気化室２１内で気化した薬剤が結露などによって挿入部より流れ出したりすることを防止することができる。
【００６５】
つぎに、本発明の第８の実施例を図９を参照しながら説明する。なお、上記第６の実施例と同じ構成のものは同一符号を付して説明を省略する。
【００６６】
図に示すように、第２の蓋２８は、外枠５の担持体２７を挿入する挿入箇所に設けている。他の構成は上記第６の実施例と同じである。
【００６７】
上記構成において、担持体２７を挿入していないときでも第２の蓋２８を閉めることができ、回転ドラム１内の空気が気化室２１を通って外枠５外に流出するのを防止することができる。
【００６８】
このように本発明によれば、担持体２７を挿入していないときに回転ドラム１内の空気が担持体２７の挿入経路を通じて外に漏れ出るのを防止することができ、通常の乾燥運転において、乾燥むらや、未乾燥を防止することができる。
【００６９】
つぎに、本発明の第９の実施例を図１０を参照しながら説明する。なお、上記第８の実施例と同じ構成のものは同一符号を付して説明を省略する。
【００７０】
図に示すように、第２の蓋開閉検知手段２９は、第２の蓋２８の開閉状態を検知するもので、第２の蓋２８が開いているときには処理運転を行えないようにしている。他の構成は上記第８の実施例と同じである。なお、第２の蓋開閉検知手段２９としては、第２の蓋２８の一部と接触することで機械的に接点がオン、オフし、ヒータ２３への通電などを制御するもの、または光センサ、磁気センサなどの非接触のセンサによって第２の蓋２８の開閉状態を検知するもので構成している。
【００７１】
上記構成において、第２の蓋開閉検知手段２９の検知結果からヒータ２３の通電と回転ドラム１の回転を制御することで、第２の蓋２８が閉じている状態のときのみ衣類の処理が行われる。
【００７２】
このように本実施例によれば、第２の蓋２８を開けたままで運転し、回転ドラム１内の空気が挿入経路を通して外に漏れ出るのを防止することができ、通常の乾燥運転において、乾燥むらや、未乾燥を防止することができる。
【００７３】
つぎに、本発明の第１０の実施例を図１１を参照しながら説明する。なお、上記第８の実施例と同じ構成のものは同一符号を付して説明を省略する。
【００７４】
図に示すように、第２の蓋２８が開いているときは、外枠５の開口部を閉塞する第１の蓋１５が閉まらないように第２の蓋２８を配置している。他の構成は上記第８の実施例と同じである。
【００７５】
上記構成において、第２の蓋２８が開いていると、第１の蓋１５が閉じないため、衣類の処理運転を行えなくなる。したがって、第２の蓋２８の開閉状態の検知手段も報知の必要もなく、構成を簡単にできる。
【００７６】
このように本実施例によれば、通常第１の蓋１５が閉まっていないときは、通常運転ができない構成を利用して、衣類の処理運転も行えないようにすることができ、開閉状態の検知手段も報知の必要もなく、第２の蓋２８を開けたままで運転し、回転ドラム１内の空気が挿入経路を通して外に漏れ出ることを防止することができ、通常の乾燥運転において、乾燥むらや、未乾燥を防止することができる。
【００７７】
【発明の効果】
以上のように本発明は、衣類投入用の開口部を有する外枠と、この外枠に開閉自在に設け前記開口部を閉塞する第１の蓋と、前記第１の蓋の開閉状態を検知する第１の蓋開閉状態検知手段と、前記外枠内に回転自在に設けた回転ドラムと、前記回転ドラムの一端を回転自在に支持するシャフトと、前記回転ドラムの他端を支持する外周略円環状部を有するドラム支持板と、前記回転ドラム内に空気を流通させる送風手段と、前記回転ドラム内に向かって抗菌、防臭、防虫、防黴の少なくともいずれか１種の性状を有する薬剤を揮発拡散する揮発拡散手段とを備え、前記揮発拡散手段は、前記ドラム支持板に設けた開口部と、この開口部に連通した薬剤の気化室と、前記薬剤を担持する担持体とからなり、前記担持体は、その一端が前記外枠外から前記気化室内に挿入され、前記気化室内で前記薬剤が揮発拡散するようにし、他端側が前記外枠より突出し挿脱時の把手を兼ねるようにするとともに、その突出部に前記回転ドラム内の空気が前記気化室を通って前記外枠外に流出するのを防止する栓部を設けたから、抗菌、防臭、防虫、防黴の少なくともいずれか１種の性状を有する薬剤を担持する担持体を外枠の外部から挿入し、ドラム支持板に設けた開口部より回転ドラム内の揮発拡散するとともに、担持体は、他端側を外枠より突出し、挿脱時の把手を兼ねるようにし、その突出部に栓部を設けたことで、一般の衣類を家庭で簡単に、抗菌、防臭、防虫、防黴の少なくともいずれか１種の性状を有する薬剤によって衣類の処理を行うことができるとともに、担持体を簡単に着脱できて、処理運転後、担持体を取り出すためにピンセットなどの器具または治具を用いる必要がなく、取扱いを簡便にでき、担持体の挿入部を通って回転ドラム内の空気が流出し、薬剤が有効に衣類に吸着しなかったり、気化室内で気化した薬剤が結露などによって挿入部より流れ出したりすることを防止することができる。
【００７８】
また、気化室は、薬剤を加熱する加熱手段を配設したから、薬剤を加熱手段により加熱することによって雰囲気温度によって薬剤の気化速度が変化し、処理の速度、処理の濃度がばらつくのを押さえることができ、また、沸点の高い薬剤を用いたときでも揮発拡散することができる。
【００７９】
また、担持体の装填を検知する検知手段を備え、気化室に前記担持体が装填されていないときは、加熱手段が作動しない構成としたから、気化室内に担持体が装填されたかどうかを検知することができ、誤って担持体を挿入せずに処理運転を行ってしまうのを防止することができる。
【００８０】
また、担持体は、薬剤が揮発分散後に担持体の一部または全体を未使用の段階より変色、発色、変形、変臭のいずれかの少なくとも１つを発現させる構成としたから、薬剤が含まれていない担持体を挿入して処理運転を行ってしまうのを防止することができる。
【００８１】
また、外枠には、担持体の挿入箇所に第２の蓋を設けたから、担持体を挿入していないときに回転ドラム内の空気が挿入経路を通じて外に漏れ出るのを防止することができ、通常の乾燥運転において、乾燥むらや、未乾燥を防止することができる。
【００８２】
また、第２の蓋の開閉状態を検知する第２の蓋開閉検知手段を備え、前記第２の蓋が開いているときには処理運転を行えないようにしたから、第２の蓋を開けたままで運転し、回転ドラム内の空気が挿入経路を通して外に漏れ出るのを防止することができ、通常の乾燥運転において、乾燥むらや、未乾燥を防止することができる。
【００８３】
また、第２の蓋が開いているときは、外枠の開口部を閉塞する第１の蓋が閉まらないようにしたから、第１の蓋が閉まっていないときは、通常運転ができない構成を利用して、衣類の処理運転も行えないようにすることができ、開閉状態の検知手段も報知の必要もなく、第２の蓋を開けたままで運転し、回転ドラム内の空気が挿入経路を通して外に漏れ出ることを防止することができ、通常の乾燥運転において、乾燥むらや、未乾燥を防止することができる。
【図面の簡単な説明】
【図１】  本発明の第１の実施例の衣類乾燥機の断面図
【図２】  同衣類乾燥機の要部拡大断面図
【図３】  本発明の第２の実施例の衣類乾燥機の要部断面図
【図４】  本発明の第３の実施例の衣類乾燥機の要部断面図
【図５】  本発明の第４の実施例の衣類乾燥機の要部断面図
【図６】  本発明の第５の実施例の衣類乾燥機の要部断面図
【図７】  本発明の第６の実施例の衣類乾燥機の要部断面図
【図８】  本発明の第７の実施例の衣類乾燥機の要部断面図
【図９】  本発明の第８の実施例の衣類乾燥機の要部断面図
【図１０】  本発明の第９の実施例の衣類乾燥機の要部断面図
【図１１】  本発明の第１０の実施例の衣類乾燥機の要部断面図
【図１２】  従来の衣類乾燥機の断面図
【符号の説明】
１  回転ドラム
３  シャフト
５  外枠
７  熱交換型ファン（送風手段）
１５  第１の蓋
１６  第１の蓋開閉検知手段
１７  薬剤
１８  薬剤タンク（薬剤装填手段）
２０  ドラム支持板
２０ａ  開口部
２１  気化室
【図１】
0003702492.tif 000002
【図２】
0003702492.tif 000003
【図３】
0003702492.tif 000004
【図４】
0003702492.tif 000005
【図５】
0003702492.tif 000006
【図６】
0003702492.tif 000007
【図７】
0003702492.tif 000008
【図８】
0003702492.tif 000009
【図９】
0003702492.tif 000010
【図１０】
0003702492.tif 000011
【図１１】
0003702492.tif 000012
【図１２】
0003702492.tif 000013